(57)【特許請求の範囲】
【請求項１】
複数のＬＥＤからなる第１ＬＥＤ群から第ＮＬＥＤ群（Ｎは２以上の整数）までのＬＥＤ群を所定の順番で所定時間経過ごとに順次に点灯させると共に、点灯中のＬＥＤ群から次に点灯させるＬＥＤ群の点灯に切り替える際には、点灯中のＬＥＤ群を徐々に暗くして消灯させる消灯制御と、前記次に点灯させるＬＥＤ群を徐々に明るくして点灯させる点灯制御とを並行して実行する点灯制御部
を備え、
前記点灯制御部は、
少なくとも第１ＬＥＤ群から第３ＬＥＤまでの３つのＬＥＤ群を備え、
前記点灯制御部は、
それぞれのＬＥＤ群の故障を検出する故障検出機能を有すると共に、いずれかのＬＥＤ群の故障を検出した場合には、故障が検出されたＬＥＤ群を除く正常なＬＥＤ群を対象として、順次に点灯させる順番を決定し、決定した順番に従って順次に正常なＬＥＤを点灯させると共に、点灯中のＬＥＤ群から次に点灯させるＬＥＤ群の点灯に切り替える際には、前記消灯制御と、前記点灯制御とを並行して実行することを特徴とするＬＥＤ点灯装置。
【請求項２】
それぞれの前記ＬＥＤ群は、
ＬＥＤ照明器具に照明用として配置されたことを特徴とする請求項１に記載のＬＥＤ点灯装置。
【請求項３】
同じＬＥＤ群を構成する各ＬＥＤは、
ＬＥＤ照明器具のＬＥＤ配置面に不規則に配置されたことを特徴とする請求項２に記載のＬＥＤ点灯装置。
【請求項４】
同じＬＥＤ群を構成する各ＬＥＤは、
ＬＥＤ照明器具のＬＥＤ配置面に規則的に配置されたことを特徴とする請求項２に記載のＬＥＤ点灯装置。
【請求項５】
請求項１〜４のいずれかに記載のＬＥＤ点灯装置を備えたことを特徴とする照明器具。
【発明の詳細な説明】
【技術分野】
【０００１】
この発明はＬＥＤを点灯させるＬＥＤ点灯装置に関する。
【背景技術】
【０００２】
従来の技術には２つのランプを備え、いずれか一方のランプが寿命時間に達したとき、一方のランプを消灯させ、他方のランプを点灯させる技術がある（例えば、特許文献１参照）。
【先行技術文献】
【特許文献】
【０００３】
【特許文献１】特開平７−１６９５７２号公報
【発明の概要】
【発明が解決しようとする課題】
【０００４】
しかしながら、いずれか一方のランプが寿命時間に達してから、他方のランプを点灯させるため、２つのランプを同時に点灯させると、一方のランプの光束が低下し、２つのランプの光束にばらつきが発生するという課題があった。
【０００５】
この発明は、ＬＥＤを間引き点灯するに際して、各ＬＥＤの明るさに差の出ないＬＥＤ点灯装置の提供を目的とする。
【課題を解決するための手段】
【０００６】
この発明のＬＥＤ点灯装置は、
複数のＬＥＤからなる第１ＬＥＤ群から第ＮＬＥＤ群（Ｎは２以上の整数）までのＬＥＤ群を所定の順番で所定時間経過ごとに順次に点灯させると共に、点灯中のＬＥＤ群から次に点灯させるＬＥＤ群の点灯に切り替える際には、点灯中のＬＥＤ群を徐々に暗くして消灯させる消灯制御と、前記次に点灯させるＬＥＤ群を徐々に明るくして点灯させる点灯制御とを並行して実行する点灯制御部
を備えたことを特徴とする。
【発明の効果】
【０００７】
本発明により、ＬＥＤを間引き点灯するに際して、各ＬＥＤの明るさに差の出ないＬＥＤ点灯装置を提供できる。
【図面の簡単な説明】
【０００８】
【図１】実施の形態１の照明器具１０００の斜視図。
【図２】実施の形態１の照明器具１０００の正面図（Ａ方向矢視）。
【図３】実施の形態１のＬＥＤ点灯装置２００のブロック図。
【図４】実施の形態１のＬＥＤ配置のバリエーションを示す図。
【図５】実施の形態１のＬＥＤ点灯装置２００の消灯制御、点灯制御を示す図。
【発明を実施するための形態】
【０００９】
実施の形態１．
図１〜図５を参照して実施の形態１のＬＥＤ点灯装置２００を説明する。
図１は照明器具１０００の斜視図である。
図２は、照明器具１０００の正面図（図１のＡ方向矢視）である。
図３は、ＬＥＤ点灯装置２００のブロック図である。
【００１０】
図３に示すように、照明器具１０００は、器具本体１００と、器具本体１００の内部に取り付けられるＬＥＤ点灯装置２００と、ＬＥＤ点灯装置２００から供給される電力によって点灯する光源ユニット３００と、を備える。
【００１１】
光源ユニット３００は、第一光源部３１０（第１ＬＥＤ群）と、第二光源部３２０（第２ＬＥＤ群）からなる。また図３に示すように、第一光源部３１０は、直列接続された８つのＬＥＤ３１１からなる。また、第二光源部３２０は、直列接続された８つのＬＥＤ３２１からなり、第一光源部３１０を構成するＬＥＤの光色とほぼ同色である。
【００１２】
図２に示すように、同じ光源部（ＬＥＤ群）を構成する各ＬＥＤは、照明器具１０００のＬＥＤ配置面に不規則に配置されている。すなわち、図２に示すように、第一光源部３１０を構成する複数のＬＥＤ３１１はＬＥＤ配置面に不規則に配置されており、また第二光源部３２０を構成する複数のＬＥＤ３２１もＬＥＤ配置面に不規則に配置されている。なお図２の配置は一例である。
図４は、図２と同様に図１のＡ矢視相当の図である。図４のように同じ光源部（ＬＥＤ群）を構成する各ＬＥＤを規則的に配置してもよい。図４に示すように、第一光源部３１０のＬＥＤと第二光源部３２０のＬＥＤとを同心円状に交互に配置してもよいし（図４の（ａ））、枠状に交互に配置してもよいし（図４の（ｂ））、列状に交互に配置してもよい（図４の（ｃ））。
【００１３】
図３に示すように、ＬＥＤ点灯装置２００は、交流電圧（商用電源）を直流電圧に変換するＡＣ／ＤＣコンバータ２１０と、この直流電圧により動作し、第一光源部３１０に電力を供給する第一点灯回路２２０と、ＡＣ／ＤＣコンバータ２１０が生成した直流電圧により動作し、第二光源部３２０に電力を供給する第二点灯回路２３０と、第一点灯回路２２０と第二点灯回路２３０を制御するコントローラ部２４０（点灯制御部）と、コントローラ部２４０の設定状態を設定する設定部２５０と、を備える。
【００１４】
コントローラ部２４０は、内部にタイマ２４１と故障検出部２４２とを備える。設定部２５０は、全光点灯モードと間引き点灯モードとを切り替える点灯モード切替部２５１と、間引き点灯モードで点灯中のランプの点灯時間を設定する点灯時間設定部２５２と、を備える。
【００１５】
次に、照明器具（点灯装置）の動作について説明する。設定部２５０の点灯モード切替部２５１が、全光モードであるときは、コントローラ部２４０は、第一点灯回路２２０及び第二点灯回路２３０に第一光源部３１０と第二光源部３２０を１００％点灯させる点灯信号を出力する。
【００１６】
設定部２５０の点灯モード切替部２５１が、間引きモードであるときは、コントローラ部２４０は、まず点灯時間設定部２５２で設定されている点灯時間を読み込む。
【００１７】
次に、コントローラ部２４０は、第一点灯回路２２０に第一光源部３１０を１００％点灯させる点灯信号を出力するとともに、第二点灯回路２３０に第二光源部３２０を消灯させる消灯信号を出力する。
【００１８】
コントローラ部２４０は、読み込んだ点灯時間が経過すると、第一点灯回路２２０に第一光源部３１０を徐々に暗くする点灯信号を出力（消灯制御）し、第二点灯回路２３０に第二光源部３２０を徐々に明るくする点灯信号を出力（点灯制御）する。このとき、第一光源部３１０と第二光源部３２０が点灯しているときの総光束は、図５に示すように、第一光源部３１０または第二光源部３２０が１００％点灯しているときの光束と等しくなるように、コントローラ部２４０は、第一光源部３１０と第二光源部３２０の明るさを制御する。
【００１９】
コントローラ部２４０は、第二光源部３２０を点灯している時間が、点灯時間設定部３４２に設定されている点灯時間に達すると、図５に示すように、第一点灯回路２２０に第一光源部３１０を徐々に明るくする点灯信号を出力（点灯制御）し、第二点灯回路２３０に第二光源部３２０を徐々に暗くする点灯信号を出力（消灯制御）する。
【００２０】
以降、第一光源部３１０または第二光源部３２０を点灯している時間が、点灯時間設定部２５２に設定されている点灯時間に達するたびに、第一光源部３１０と第二光源部３２０の点灯状態を切り替える。
【００２１】
また故障検出部２４２は、第一光源部３１０、第二光源部３２０の故障を検出する。
故障とは、例えばＬＥＤのショートやオープン故障である。コントローラ部２４０は、どちらかのＬＥＤ群の故障を検出した場合には、故障が検出されていない正常な他方のＬＥＤ群の常時点灯に切り替える。
【００２２】
図３の構成では第一光源部３１０と第二光源部３２０との２つのＬＥＤ群を交互に点灯させる場合を説明したが、３つ以上のＬＥＤ群を循環的に点灯させてもよい。すなわち、３つ以上のＬＥＤ群を所定の順番で所定時間経過ごとに順次に点灯させると共に、点灯中のＬＥＤ群から次に点灯させるＬＥＤ群の点灯に切り替える際には、点灯中のＬＥＤ群を徐々に暗くして消灯させる消灯制御と、次に点灯させるＬＥＤ群を徐々に明るくして点灯させる点灯制御とを並行して実行するようにしてもよい。
【００２３】
３つ以上のＬＥＤ群を循環的に点灯させる際に、故障検出部２４２が、いずれかのＬＥＤ群の故障を検出した場合は、コントローラ部２４０は、故障が検出されたＬＥＤ群を除く正常なＬＥＤ群を対象として、順次に循環的に点灯させる順番を決定し、決定した順番に従って、異常なＬＥＤ群が検出される前と同じように順次に循環的に正常なＬＥＤを点灯させる。そして、コントローラ部２４０は、点灯中のＬＥＤ群から次に点灯させるＬＥＤ群の点灯に切り替える際には、前述の消灯制御と点灯制御とを並行して実行するようにしてもよい。
【００２４】
このように、間引き点灯モード時に、第一光源部３１０と第二光源部３２０のいずれかを点灯させることによって、ユーザーに視覚的に省エネモードで点灯していることを伝えることができる。
【００２５】
また、間引き点灯モード時において、第一光源部３１０と第二光源部３２０が点灯している時間が所定時間（点灯時間）経過すると、互いの点灯状態を切り替えるようにしているので、第一光源部３１０と第二光源部３２０の寿命特性（光束劣化）をほぼ同一にすることができる。
【００２６】
また、間引き点灯モード時において、第一光源部３１０と第二光源部３２０の点灯状態を切り替える際、点灯している光源に対して徐々に暗くなる（フェードアウト）ようにし、消灯している光源に対して徐々に明るくなる（フェードイン）ようにするので、光源の点灯状態が急激に切り替わることがなくなり、点灯状態の切り替えによってユーザーに違和感（不快感）を与えることがない。
【符号の説明】
【００２７】
１０００  照明器具、１００  器具本体、２００  ＬＥＤ点灯装置、２１０  ＡＣ／ＤＣコンバータ、２２０  第一点灯回路、２３０  第二点灯回路、２４０  コントローラ部、２４１  タイマ、２４２  故障検出部、２５０  設定部、２５１  点灯モード切替部、２５２  点灯時間設定部、３００  光源ユニット、３１０  第一光源部、３２０  第二光源部、３１１，３２１  ＬＥＤ。
【図１】
0005574829.tif 000002
【図２】
0005574829.tif 000003
【図３】
0005574829.tif 000004
【図４】
0005574829.tif 000005
【図５】
0005574829.tif 000006